(57)【要約】【課題】ペン先シール部材をキャップ本体の開口端から容易に視認することができ、且つ、ペン先シール部材の組立不良が発生するおそれがなく、しかも、製造コストを安価に抑え、さらに、キャップ装着を片手で行なうことができる筆記具用キャップを提供する。【解決手段】キャップ本体２内に弾性材料からなるペン先シール部材６を備える。キャップ本体２の開口端からペン先シール部材６までの軸方向の距離Ｌが、５ｍｍ〜２０ｍｍの範囲にある。キャップ本体２の開口端の内径をＤとしたとき、前記内径Ｄに対する前記距離Ｌの比（Ｌ／Ｄ）が、１．０〜１．５の範囲にある。キャップ本体２が、不透明材料からなるとともに外面にインキ色表示部を備えない。ペン先シール部材６が、筆記具本体７のインキ色に着色される。キャップ本体２の外面に、キャップ本体２の開口端を垂直方向上方に向けた状態でキャップ本体２を水平面に載置可能なスタンド部３を設ける。【選択図】  図１
0003147829.tif 000002
【実用新案登録請求の範囲】
【請求項１】
弾性材料からなるペン先シール部材をキャップ本体内に備えた筆記具用キャップであって、キャップ本体の開口端からペン先シール部材までの軸方向の距離が、５ｍｍ〜２０ｍｍの範囲にあることを特徴とする筆記具用キャップ。
【請求項２】
キャップ本体の開口端からペン先シール部材までの軸方向の距離をＬとし、キャップ本体の開口端の内径をＤとしたとき、
１．０≦Ｌ／Ｄ≦１．５
の関係を満足する請求項１記載の筆記具用キャップ。
【請求項３】
キャップ本体が、不透明材料からなるとともに外面にインキ色表示部を備えず、ペン先シール部材が、筆記具本体のインキ色に着色される請求項１または２記載の筆記具用キャップ。
【請求項４】
キャップ本体の外面に、キャップ本体の開口端を垂直方向上方に向けた状態でキャップ本体を水平面に載置可能なスタンド部を設け、スタンド部の下端の外径がキャップ本体の開口端の外径より大きく設定された請求項１、２または３記載の筆記具用キャップ。
【請求項５】
キャップ本体及びスタンド部を合成樹脂の成形体により一体に形成し、キャップ本体外面とスタンド部との接続部を、キャップ本体内面のペン先シール部材の取付部よりも上方に設けた請求項４記載の筆記具用キャップ。
【請求項６】
キャップ本体外面とスタンド部との接続部を、キャップ本体内面の筆記具本体との嵌合部よりも上方に設けた請求項５記載の筆記具用キャップ。
【請求項７】
弾性材料からなるペン先シール部材をキャップ本体内に備えた筆記具用キャップであって、キャップ本体の外面に、キャップ本体の開口端を垂直方向上方に向けた状態でキャップ本体を水平面に載置可能なスタンド部を設け、スタンド部の下端の外径がキャップ本体の開口端の外径より大きく設定され、キャップ本体及びスタンド部を合成樹脂の成形体により一体に形成し、キャップ本体外面とスタンド部との接続部を、キャップ本体内面のペン先シール部材の取付部よりも上方に設けたことを特徴とする筆記具用キャップ。
【請求項８】
キャップ本体外面とスタンド部との接続部を、キャップ本体内面の筆記具本体との嵌合部よりも上方に設けた請求項７記載の筆記具用キャップ。
【考案の詳細な説明】
【技術分野】
【０００１】
本考案は、筆記具用キャップに関する。詳細には、弾性材料よりなるペン先シール部材を内部に備えた筆記具用キャップに関する。尚、本考案で「上」とは筆記具本体のペン先側が挿入可能なキャップ本体開口側を指し、「下」とはその反対側を指す。
【背景技術】
【０００２】
従来、弾性材料よりなるペン先シール部材を本体内に備えた筆記具用キャップについて、広く知られている。（例えば、特許文献１）
【０００３】
【特許文献１】実開平６−２１９７９号
【考案の開示】
【考案が解決しようとする課題】
【０００４】
前記従来のペン先シール部材を備えた筆記具用キャップは、内部のペン先シール部材をキャップ本体の開口端から目視により視認することは困難である。また、前記従来の筆記具用キャップは、キャップ本体の開口端から取付部までのペン先シール部材の挿入過程で、ペン先シール部材がキャップ本体内壁と接触し、ペン先シール部材が取付部に適正に取り付けられないおそれ（即ち組立不良が生じるおそれ）がある。
【０００５】
また、前記従来のペン先シール部材を備えた筆記具用キャップは、キャップ本体を不透明材料により構成した場合、目視により、ペン先シール部材の有無を確認すること及び着色されたペン先シール部材の色を識別することは困難である。その上、前記キャップ本体を不透明材料により構成した場合、筆記具本体のインキ色を識別するために、キャップ本体外面を筆記具本体のインキ色に着色したり、筆記具本体のインキ色に着色した頭冠やシール等の別部品をキャップ本体に取り付けることが考えられるが、それらはコスト高となり、キャップを安価に提供できない。
【０００６】
また、前記従来のペン先シール部材を備えた筆記具用キャップにおいて、筆記具本体のペン先側にキャップを装着するキャップ装着動作は、通常、両手で行なわれ（即ち、一方の手でキャップを持ち、他方の手で筆記具本体を持ち）、片手で行なうことは困難である。
【０００７】
本考案は、前記従来の問題点を解決するものであって、ペン先シール部材をキャップ本体の開口端から容易に視認することができ、且つ、ペン先シール部材の組立不良が発生するおそれがなく、しかも、製造コストを安価に抑え、さらに、キャップ装着を片手で行なうことができる筆記具用キャップを提供しようとするものである。また、本考案は、ペン先シール部材の組立挿入性が向上するとともに、キャップ装着を片手で行なうことができ、しかも、キャップ本体内面に、適正な形状のペン先シール部材の取付部、適正な形状の筆記具本体との嵌合部を形成でき、さらに、スタンド部の外形状のデザイン上の自由度が広がる筆記具用キャップを提供しようとするものである。
【課題を解決するための手段】
【０００８】
（構成１）
本考案は、弾性材料からなるペン先シール部材６をキャップ本体２内に備えた筆記具用キャップであって、キャップ本体２の開口端からペン先シール部材６までの軸方向の距離が、５ｍｍ〜２０ｍｍの範囲にあること（構成１）を要件とする。
【０００９】
前記構成１の筆記具用キャップ１は、キャップ本体２の開口端からペン先シール部材６までの軸方向の距離Ｌを、５ｍｍ〜２０ｍｍの範囲に設定したことにより、筆記具本体７との嵌合部２１をキャップ本体２内面に適正に設けることが可能となり、キャップ本体２と筆記具本体７との安定した嵌合を得ることができる。しかも、前記構成１の筆記具用キャップ１は、ペン先シール部材６の挿入組立性が向上し、確実にキャップ本体２内の適正箇所にペン先シール部材６を取り付けることができ、ペン先シール部材６の組立不良の発生を防止できる。その上、前記構成１の筆記具用キャップ１は、キャップ本体２の開口端から内部のペン先シール部材６を斜め上方からでも容易に視認でき、その結果、ペン先シール部材６の有無の確認や、ペン先シール部材６の色の識別を、キャップ本体２の開口端から容易に行なうことができる。
【００１０】
もし、キャップ本体２の開口端からペン先シール部材６までの軸方向の距離Ｌが、５ｍｍより小さい場合、筆記具本体７との嵌合部２１をキャップ本体２内面に適正に設けることが困難となり、キャップ本体２と筆記具本体７との安定した嵌合が得られないおそれがある。一方、もし、キャップ本体２の開口端からペン先シール部材６までの軸方向の距離Ｌが、２０ｍｍより大きい場合、キャップ本体２の開口端からペン先シール部材６を斜め上方から視認することが困難となるとともに、ペン先シール部材６の組立不良が発生するおそれがある。
【００１１】
尚、前記キャップ本体２は、ペン先シール部材６を内部に備え、筆記具本体７と着脱自在に嵌合可能なものである。前記キャップ本体２は、筒状であり、少なくとも上端が開口されている。
【００１２】
（構成２）
前記筆記具用キャップ１において、キャップ本体２の開口端からペン先シール部材６までの軸方向の距離をＬとし、キャップ本体２の開口端の内径をＤとしたとき、
１．０≦Ｌ／Ｄ≦１．５
の関係を満足すること（構成２）が好ましい。
【００１３】
前記構成２の筆記具用キャップ１は、前記内径Ｄに対する前記距離Ｌの比（Ｌ／Ｄ）を、１．０〜１．５の範囲に設定したことにより、より一層、キャップ本体２の開口端から内部のペン先シール部材６を斜め上方からでも容易に視認でき、しかも、筆記具本体７との嵌合部２１をキャップ本体２内面に適正に設けることが可能となる。
【００１４】
もし、Ｌ／Ｄの値が１．０より小さい場合、筆記具本体７との嵌合部２１をキャップ本体２内面に適正に設けることが困難となる。一方、もし、Ｌ／Ｄの値が１．５より大きい場合、ユーザーが、キャップ本体２開口端を垂直方向上方に向けてキャップ本体２の下端を机上面で支持するとともに、椅子に座った状態でキャップ本体２を見下ろしたとき、キャップ本体２の斜め上方からキャップ本体２開口端を通してペン先シール部材６を視認できないおそれがある。
【００１５】
（構成３）
前記筆記具用キャップ１において、キャップ本体２が、不透明材料からなるとともに外面にインキ色表示部を備えず、ペン先シール部材６が、筆記具本体７のインキ色に着色されること（構成３）が好ましい。
【００１６】
前記構成３の筆記具用キャップ１は、キャップ本体２が、不透明材料からなるとともに外面にインキ色表示部を備えないため、透明材料からなるキャップ本体２に比べ、高級感のある外観を呈するとともに、キャップ本体２外面にインキ色表示用の別部品を備えず、製造コストを抑え、安価に提供できる。さらに、前記構成３の筆記具用キャップ１において、キャップ本体２が、不透明材料からなるとともに外面にインキ色表示部を備えない構成であるため、筆記具本体７のインキ色と異なる色のペン先シール部材６を有するキャップに誤って筆記具本体７を装着するミスが生じやすい。しかし、前記構成３の筆記具用キャップ１は、ペン先シール部材６が筆記具本体７のインキ色に着色された構成と、構成１または構成２とが相まって、ペン先シール部材６を開口端から容易に視認でき、ペン先シール部材６のインキ色を容易に識別できるため、前記装着ミスをなくし、ペン先シール部材６の色に対応したインキ色の筆記具本体７を適正にキャップ本体２に装着できる。
【００１７】
（構成４）
前記筆記具用キャップ１において、キャップ本体２の外面に、キャップ本体２の開口端を垂直方向上方に向けた状態でキャップ本体２を水平面に載置可能なスタンド部３を設け、スタンド部３下端の外径Ｂがキャップ本体２の開口端の外径Ａより大きく設定されたこと（構成４）が好ましい。
【００１８】
前記構成４の筆記具用キャップ１は、スタンド部３により、キャップ本体２開口端を上向きにして机上面等の水平面に載置可能であるため、筆記具本体７のペン先７１側をキャップ本体２内に装着する際（即ちキャップ装着の際）、キャップを手で持つことが不要となり、前記キャップ装着を片手で行なうことができる。また、前記構成４の筆記具用キャップ１は、スタンド部３により、キャップ本体２開口端を上向きにして机上面等の水平面に載置可能であるため、ペン先シール部材６をキャップ本体２内に挿入する際、確実且つ容易にキャップ本体２開口端を垂直方向上方に向かせることができ、その結果、ペン先シール部材６の組立挿入性が向上するとともに、机上面等の水平面に載置状態でのペン先シール部材６の視認性が向上する。
【００１９】
（構成５）
前記筆記具用キャップ１において、キャップ本体２及びスタンド部３を合成樹脂の成形体により一体に形成し、キャップ本体２外面とスタンド部３との接続部４を、キャップ本体２内面のペン先シール部材６の取付部２２よりも上方に設けたこと（構成５）が好ましい。
【００２０】
前記構成５の筆記具用キャップ１は、ペン先シール部材６の取付部２２の位置するキャップ本体２側壁が、スタンド部３の形成による影響を受けず、ペン先シール部材６の取付部２２にヒケが発生しない。その結果、適正な形状の取付部２２を得るとともに、スタンド部３の外形状のデザイン上の自由度が増す。
【００２１】
（構成６）
前記筆記具用キャップ１において、キャップ本体２外面とスタンド部３との接続部４を、キャップ本体２内面の筆記具本体７との嵌合部２１よりも上方に設けたこと（構成６）が好ましい。
【００２２】
前記構成６の筆記具用キャップ１は、筆記具本体７との嵌合部２１が位置するキャップ本体２側壁が、スタンド部３の形成による影響を受けず、筆記具本体７との嵌合部２１にヒケが発生しない。その結果、適正な形状の嵌合部２１を得るとともに、スタンド部３の外形状のデザイン上の自由度が増す。
【００２３】
（構成７）
また、本考案は、弾性材料からなるペン先シール部材６をキャップ本体２内に備えた筆記具用キャップであって、キャップ本体２の外面に、キャップ本体２の開口端を垂直方向上方に向けた状態でキャップ本体２を水平面に載置可能なスタンド部３を設け、スタンド部３の下端の外径Ｂがキャップ本体２の開口端の外径Ａより大きく設定され、キャップ本体２及びスタンド部３を合成樹脂の成形体により一体に形成し、スタンド部３とキャップ本体２外面との接続部４を、キャップ本体２内面のペン先シール部材６の取付部２２よりも上方に設けたこと（構成７）を要件とする。
【００２４】
前記構成７の筆記具用キャップ１は、スタンド部３により、キャップ本体２開口端を上向きにして机上面等の水平面に載置可能であるため、筆記具本体７のペン先７１側をキャップ本体２内に装着する際（即ちキャップ装着の際）、キャップを手で持つことが不要となり、前記キャップ装着を片手で行なうことができる。また、前記構成７の筆記具用キャップ１は、スタンド部３により、キャップ本体２開口端を上向きにして机上面等の水平面に載置可能であるため、ペン先シール部材６をキャップ本体２内に挿入する際、確実且つ容易にキャップ本体２開口端を垂直方向上方に向かせることができ、その結果、ペン先シール部材６の組立挿入性が向上するとともに、机上面等の水平面に載置状態でのペン先シール部材６の視認性が向上する。
【００２５】
また、前記構成７の筆記具用キャップ１は、接続部４を取付部２２よりも上方に設けたことにより、ペン先シール部材６の取付部２２の位置するキャップ本体２側壁が、スタンド部３の形成による影響を受けず、ペン先シール部材６の取付部２２にヒケが発生しない。その結果、適正な形状の取付部２２を得るとともに、スタンド部３の外形状のデザイン上の自由度が増す。
【００２６】
（構成８）
前記筆記具用キャップ１において、キャップ本体２外面とスタンド部３との接続部４を、キャップ本体２内面の筆記具本体７との嵌合部２１よりも上方に設けたこと（構成８）が好ましい。
【００２７】
前記構成８の筆記具用キャップ１は、筆記具本体７との嵌合部２１が位置するキャップ本体２側壁が、スタンド部３の形成による影響を受けず、筆記具本体７との嵌合部２１にヒケが発生しない。その結果、適正な形状の嵌合部２１を得るとともに、スタンド部３の外形状のデザイン上の自由度が増す。
【考案の効果】
【００２８】
請求項１の筆記具用キャップによれば、キャップ本体と筆記具本体との安定した嵌合を得ることができるとともに、ペン先シール部材の挿入組立性が向上し、ペン先シール部材の組立不良の発生を防止でき、その上、キャップ本体の開口端から内部のペン先シール部材を斜め上方からでも容易に視認できる。
【００２９】
請求項２の筆記具用キャップによれば、より一層、キャップ本体の開口端から内部のペン先シール部材を斜め上方からでも容易に視認でき、しかも、筆記具本体との嵌合部をキャップ本体内面に適正に設けることが可能となる。
【００３０】
請求項３の筆記具用キャップによれば、透明材料からなるキャップ本体に比べ、高級感のある外観を呈するとともに、インキ色表示用の別部品を備えず、製造コストを抑え、安価に提供でき、さらに、ペン先シール部材の色に対応したインキ色の筆記具本体を適正にキャップ本体に装着できる。
【００３１】
請求項４の筆記具用キャップによれば、キャップ装着を片手で行なうことができ、しかも、ペン先シール部材の組立挿入性が向上するとともに、机上面等の水平面に載置状態でのペン先シール部材の視認性が向上する。
【００３２】
請求項５の筆記具用キャップによれば、適正な形状の取付部を得るとともに、スタンド部の外形状のデザイン上の自由度が増す。
【００３３】
請求項６の筆記具用キャップによれば、適正な形状の嵌合部を得るとともに、スタンド部の外形状のデザイン上の自由度が増す。
【００３４】
請求項７の筆記具用キャップによれば、キャップ装着を片手で行なうことができ、しかも、ペン先シール部材の組立挿入性が向上するとともに、机上面等の水平面に載置状態でのペン先シール部材の視認性が向上する。また、前記請求項７の筆記具用キャップによれば、適正な形状の取付部を得るとともに、スタンド部の外形状のデザイン上の自由度が増す。
【００３５】
請求項８の筆記具用キャップによれば、適正な形状の嵌合部を得るとともに、スタンド部の外形状のデザイン上の自由度が増す。
【考案を実施するための最良の形態】
【００３６】
図１乃至図３に本考案の実施の形態を示す。
【００３７】
本実施の形態の筆記具用キャップ１は、内部にペン先シール部材６を収容配置したキャップ本体２と、キャップ本体２の外面に一体に連設されたスタンド部３とからなる。前記キャップ本体２及び前記スタンド部３は、合成樹脂（例えば、ポリプロピレン、ポリエチレン、ポリカーボネイト、ＡＢＳ樹脂等）の射出成形体により得られる。前記キャップ本体２及び前記スタンド部３は、不透明な合成樹脂により形成されるとともに、筆記具本体７のインキ色に着色されず、具体的にはパールホワイト色に着色される。即ち、筆記具用キャップ１の外面にインキ色表示部を備えない。
【００３８】
前記ペン先シール部材６は、弾性材料から形成される。前記弾性材料は、例えば、シリコンゴム、イソプレンゴム、ブタジエンゴム、スチレン−ブタジエンゴム、クロロプレンゴム、アクリロニトリル−ブタジエンゴム、ブチルゴム、エチレン−プロピレンゴム、アクリルゴム、エチレン−酢酸ビニルゴム、多硫化ゴム、ヒドリンゴム、ウレタンゴム、フッ素ゴム等の合成ゴムや各種エラストマー、あるいは天然ゴム等が挙げられる。前記ペン先シール部材６は、筆記具本体７内のインキと略同一の色に着色される。
【００３９】
前記ペン先シール部材６は、すり鉢状内面を有するカップ状部と、該カップ状部の開口端と一体に連設される筒状支持部とからなる。これ以外にも、本考案のペン先シール部材６は、球状または板状であってもよい。
【００４０】
前記キャップ本体２は、上端が開口され且つ下端が閉鎖された有底円筒体よりなる。前記キャップ本体２の内面には、ペン先シール部材６が圧入可能な取付部２２と、筆記具本体７と嵌合可能な嵌合部２１と、前記ペン先シール部材６の下方移動を規制する規制壁部２３とが一体に形成される。前記取付部２２は、キャップ本体２内面に一体に形成された複数の分散状突起または環状平滑面からなる。前記規制壁部２３は、段部からなり、ペン先シール部材６の下端と当接し且つペン先シール部材６の下方への移動を規制する。前記嵌合部２１は、キャップ本体２内面に一体に形成された複数の分散状突起からなる。前記取付部２２には、ペン先シール部材６の外面が圧入保持される。前記取付部２２の上方に、前記嵌合部２１が形成される。尚、前記キャップ本体２は、下端が開口していてもよい。また、前記嵌合部２１は、前記構成以外にも、環状突起または環状平滑面であってもよい。
【００４１】
本実施例の筆記具用キャップ１は、キャップ本体２の開口端の内径Ｄが、８．７７ｍｍに設定され、キャップ本体２の開口端からペン先シール部材６上端までの軸方向の距離Ｌが、１１．０５ｍｍに設定されている。それにより、前記Ｌは、５ｍｍ〜２０ｍｍの範囲内にある。また、Ｌ／Ｄの値は、１．２６となり、１．０≦Ｌ／Ｄ≦１．５の関係を満たす。
【００４２】
前記取付部２２に取付状態のペン先シール部材６の外径Ｃは、キャップ本体２の開口端の内径Ｄより小さく設定される。前記ペン先シール部材６の外径Ｃは、ペン先シール部材６をキャップ本体２の開口端からの視認が容易である点で、キャップ本体２の開口端の内径Ｄの７０％以上であることが好ましい。本実施の形態では、前記ペン先シール部材６の外径Ｃは、６．８５ｍｍであり、キャップ本体２の開口端の内径Ｄの７８．１％である。
【００４３】
前記スタンド部３は、下端が開口し且つ上端から下端に向かって外径が大きくなる円筒体(具体的にはラッパ状の円筒体)である。前記スタンド部３の下端は、キャップ本体２の下端よりも下方に位置している。前記スタンド部３の上端は、キャップ本体２外面の上端と接続される。よって、スタンド部３とキャップ本体２外面との接続部４が、キャップ本体２の開口端（即ちキャップ本体２の上端）に位置し、取付部２２及び嵌合部２１よりも上方に位置する。それにより、前記スタンド部３がキャップ本体２全体を覆う構成となり、スマートな外観を得る。また、前記取付部２２及び嵌合部２１の位置するキャップ本体２側壁とスタンド部３内面との間には、環状の隙間５が形成される。それにより、ヒケの発生がない適正な形状を有する取付部２２及び嵌合部２１をキャップ本体２内面に形成できるとともに、スタンド部３の外形状を自由にデザインすることができる。
【００４４】
前記スタンド部３の下端の外径Ｂは、２５ｍｍに設定され、キャップ本体２の開口端の外径Ａ（即ちスタンド部３の上端の外径）は、１２．４ｍｍに設定される。即ち、前記スタンド部３の下端の外径Ｂは、キャップ本体２の開口端の外径Ａよりも大きく設定される。
【００４５】
図２に示すように、本実施の形態の筆記具用キャップ１を、そのキャップ本体２開口端を上方に向けた状態で机上面８に載置したとき、斜め上方からでも内部のペン先シール部材６をキャップ本体２開口端から十分に視認でき、ペン先シール部材６の色を識別することができる。
【００４６】
図３に本実施の形態の筆記具用キャップ１を筆記具本体７のペン先７１側に装着した状態を示す。前記筆記具本体７の先端には、ペン先７１が設けられる。前記ペン先７１は、先端にボールが回転可能に抱持されたボールペンチップが採用される。前記筆記具本体７の内部には、インキ（例えば、水性インキまたは油性インキ）と、ペン先７１からのインキ消費に伴ってペン先方向に移動する追従体とが充填される。前記筆記具用キャップ１を、筆記具本体７のペン先７１側に装着すると、筆記具本体７のペン先７１側の外面がキャップ本体２内面の嵌合部２１と嵌合すると同時に、ペン先シール部材６がペン先７１と密接することにより、ペン先７１からのインキの蒸発が防止される。
【００４７】
前記筆記具本体７のペン先７１側の外面がキャップ本体２内面の嵌合部２１と嵌合するとは、具体的には、筆記具本体７のペン先７１側の外面に形成した環状突起７２と、キャップ本体２内面に形成した分散状突起２１（嵌合部）が乗り越え嵌合する。
【００４８】
また、前記筆記具本体７のペン先７１側の外面がキャップ本体２内面の嵌合部２１と嵌合した際、キャップ本体２の開口端の接続部４が筆記具本体７のペン先側の外面に形成した段部７３に当接する。前記接続部４をキャップ本体２の上端に設けたことにより、前記接続部４が、筆記具本体７の段部７３との安定した当接壁部を構成する。
【図面の簡単な説明】
【００４９】
【図１】本考案の筆記具用キャップの縦断面図である。
【図２】図１の筆記具用キャップの内部のペン先シール部材を斜め上方から視認する状態を示す縦断面図である。
【図３】図１の筆記具用キャップを筆記具本体のペン先側に装着した状態を示す縦断面図である。
【符号の説明】
【００５０】
１  筆記具用キャップ
２  キャップ本体
２１  嵌合部
２２  取付部
２３  規制壁部
３  スタンド部
４  接続部
５  環状の隙間
６  ペン先シール部材
７  筆記具本体
７１  ペン先
７２  環状突起
７３  段部
８  机上面
Ｄ  キャップ本体の開口端の内径
Ｌ  キャップ本体の開口端からペン先シール部材上端までの軸方向の距離
Ａ  キャップ本体の開口端の外径
Ｂ  スタンド部の下端の外径
Ｃ  ペン先シール部材の外径
【図１】
0003147829.tif 000003
【図２】
0003147829.tif 000004
【図３】
0003147829.tif 000005